(57)【要約】      （修正有）【課題】誤って別の印鑑が文書に押印されるのを確実に防止することができる印鑑を提供する。【解決手段】印影の元となる同じ形状を有する押印面１１と、押印面１１を高さ方向下端部に有する本体部１５とを備え、本体部１５は、押印面１１とは反対側の高さ方向上端部に第１の図形１２を有すると共に、端部以外の周面に第２の図形を有するようにした。印鑑１０によれば、この印鑑１０の高さ方向の押印面１１とは反対側の端部にロゴマーク１２が付されていることにより、押印する者が、その属している会社や団体等の象徴であるロゴマーク１２を押印行為の直前に即座に視認することができるので、誤って別の印鑑が文書に押印されるのを確実に防止することができる。【選択図】図１
0003145629.tif 000002
【実用新案登録請求の範囲】
【請求項１】
印影の元となる同じ形状を有する押印面と、
前記押印面を高さ方向下端部に有する本体部とを備え、
前記本体部は前記押印面とは反対側の高さ方向上端部に第１の図形を有する
ことを特徴とする印鑑。
【請求項２】
印影の元となる同じ形状を有する押印面と、
前記押印面を高さ方向下端部に有する本体部とを備え、
前記本体部は周面に第２の図形を有する
ことを特徴とする印鑑。
【請求項３】
印影の元となる同じ形状を有する押印面と、
前記押印面を高さ方向下端部に有する本体部とを備え、
前記本体部は、
前記押印面とは反対側の高さ方向上端部に第１の図形を有すると共に、
端部以外の周面に第２の図形を有する
ことを特徴とする印鑑。
【請求項４】
前記本体部が、
高さ方向上端部に前記第１の図形を有する把持部と、
この把持部の下側に一体に設けられ高さ方向下端部に前記押印面を有する押印体部とを有する
ことを特徴とする請求項３に記載の印鑑。
【考案の詳細な説明】
【技術分野】
【０００１】
本考案は、印鑑に関するものである。
【背景技術】
【０００２】
印鑑は、例えば、契約書や伝票等の文書等に押印することにより、自分本人の意思がある意味において間違いなく反映されていることを証明するために用いられる。したがって、このような印鑑が押印される文書は重要な文書であることが多く、誤って別の印鑑が押印されることは許されないことは元より、誤って別の印鑑が押印されてしまった場合は、その重要な文書を作り直さなければならないという無駄な作業を繰り返さなければならなくなってしまう。
【考案の開示】
【考案が解決しようとする課題】
【０００３】
しかしながら、従来の印鑑は、その印影の元となる同じ形状を有する押印面以外の部分、例えばその把持部の周面とか押印面と反対側の端部には何の図柄もあしらわれていないので、押印面を覗いたり、別の紙に一度押印してみないと、どんな印影の印鑑かを即座に知ることができない。したがって上述したように、誤って別の印鑑が文書に押印されることを確実に防止することが難しいという問題があった。
【０００４】
そこで本考案は、上記問題点に鑑みて、誤って別の印鑑が文書に押印されるのを確実に防止することができる印鑑を提供することを課題とするものである。
【課題を解決するための手段】
【０００５】
上記課題を解決するために本考案による印鑑は、
印影の元となる同じ形状を有する押印面と、
前記押印面を高さ方向下端部に有する本体部とを備え、
前記本体部は前記押印面とは反対側の高さ方向上端部に第１の図形を有することを特徴とするものである。
【０００６】
また、上記課題を解決するために本考案による印鑑は、
印影の元となる同じ形状を有する押印面と、
前記押印面を高さ方向下端部に有する本体部とを備え、
前記本体部は周面に第２の図形を有するたことを特徴とするものである。
【０００７】
また、上記課題を解決するために本考案による印鑑は、
印影の元となる同じ形状を有する押印面と、
前記押印面を高さ方向下端部に有する本体部とを備え、
前記本体部は、
前記押印面とは反対側の高さ方向上端部に第１の図形を有すると共に、
端部以外の周面に第２の図形を有することを特徴とするものである。
【０００８】
また、上記課題を解決するために本考案による印鑑は、
前記本体部が、
高さ方向上端部に前記第１の図形を有する把持部と、
この把持部の下側に一体に設けられ高さ方向下端部に前記押印面を有する押印体部とを有することを特徴とするものである。
【考案の効果】
【０００９】
このような本考案の印鑑によれば、
印影の元となる同じ形状を有する押印面と、
前記押印面を高さ方向下端部に有する本体部とを備え、
前記本体部は前記押印面とは反対側の高さ方向上端部に第１の図形を有することにより、
誤って別の印鑑が文書に押印されるのを確実に防止することができる。
【００１０】
また、このような本考案の印鑑によれば、
印影の元となる同じ形状を有する押印面と、
前記押印面を高さ方向下端部に有する本体部とを備え、
前記本体部は周面に第２の図形を有することにより、
誤って別の印鑑が文書に押印されるのを確実に防止することができる。
【００１１】
また、このような本考案の印鑑によれば、
印影の元となる同じ形状を有する押印面と、
前記押印面を高さ方向下端部に有する本体部とを備え、
前記本体部は、
前記押印面とは反対側の高さ方向上端部に第１の図形を有すると共に、
端部以外の周面に第２の図形を有することにより、
誤って別の印鑑が文書に押印されるのを確実に防止することができる。
【００１２】
また、このような本考案の印鑑によれば、
前記本体部が、
高さ方向上端部に前記第１の図形を有する把持部と、
この把持部の下側に一体に設けられ高さ方向下端部に前記押印面を有する押印体部とを有することにより、
誤って別の印鑑が文書に押印されるのを確実に防止することができる。
【考案を実施するための最良の形態】
【００１３】
以下、本考案に係る印鑑の実施の形態について、図面に基づいて具体的に説明する。
図１は、本考案の第１の実施の形態に係る印鑑１０について説明するために参照する斜視図である。
【００１４】
本実施の形態に係る印鑑１０は、図１に示すように、その全体の形状が略円柱形状に形成されていることにより、その形状全体が把持部１５（本体部）をも構成するようになっている。この印鑑１０は、その長さ方向の一方の端面（図１中、高さ方向の下端面）に、印影の元となる同じ形状を有する押印面１１が形成され、この把持部１５の高さ方向の押印面１１とは反対側の上端面に、会社や団体等のロゴマーク１２（第１の図形）が彫り込まれている。
【００１５】
ここで、この印鑑１０のロゴマーク１２は、図１中において、その紋様として桜の花をモチーフとしたものが例示されているが、ロゴマーク１２はこのような紋様のものに限定されずに、印鑑１０を使用する会社や団体等が個々に所有する、独自の紋様のロゴマークが自由に彫り込まれるようにすることができる。
【００１６】
また、印鑑１０の把持部１５の高さ方向の端面以外の周面には、図１に示すように、縁起物である昇り竜の絵（第２の図形）が付されている。なお、この印鑑１０の把持部１５の周面に付される絵は、昇り竜に限定されないことはいうまでもない。
【００１７】
このような本実施の形態に係る印鑑１０によれば、この印鑑１０の高さ方向の押印面１１とは反対側の端部にロゴマーク１２が付されていることにより、押印する者が、その属している会社や団体等の象徴であるロゴマーク１２を押印行為の直前に即座に視認することができるので、誤って別の印鑑が文書に押印されるのを確実に防止することができる。
【００１８】
また、このような本実施の形態に係る印鑑１０によれば、この印鑑１０の把持部１５の周面に縁起物の絵が付されていることにより、押印する者が押印行為の直前にその絵を即座に視認することができるので、やはり誤って別の印鑑が文書に押印されるのを確実に防止することができる。
【００１９】
また、このような本実施の形態に係る印鑑１０によれば、ロゴマーク１２や昇り竜の絵がそれにあしらわれて、それらのマークや絵は印鑑１０を所有する者が気に入った、他にないものを選んだものなので、そのような印鑑１０を所有したり使用したりすることにおいて、「自分は他の人が持っていない自慢できる、縁起が良くなる印鑑を持っているんだ」という大きな優越感を常に持つことができる。
【００２０】
次に、図２は、本考案の第２の実施の形態に係る印鑑２０について説明するために参照する斜視図である。本実施の形態に係る印鑑２０は、同図に示すように、その把持部１５の長さ方向（図中高さ方向）における押印面１１とは反対側の端部（図中上端部）に、前記第１の実施の形態に係る印鑑１０のロゴマーク１２の代わりに、家紋２２が彫り込まれている。
【００２１】
この印鑑２０の家紋２２は、図２中において、その紋様として花や葉をモチーフとしたものが例示されているが、家紋２２はこのような紋様のものに限定されずに、印鑑２０を使用する者の家の独自の家紋が彫り込まれるようにすることができる。
【００２２】
このような本実施の形態に係る印鑑２０によれば、この印鑑２０の押印面１１とは反対側の端部に家紋２２が付されていることにより、押印する者が、その属している家の象徴である家紋２２を押印行為の直前に即座に視認することができるので、誤って別の印鑑が文書に押印されるのを確実に防止することができる。
【００２３】
また、このような本実施の形態に係る印鑑２０によれば、印鑑２０に家紋があしらわれていて、その家紋２２は印鑑２０を所有する者が属する家の象徴であるので、そのような印鑑２０を所有したり使用することにおいて、自分の属する家の誇りや家を代表する者としての自覚を感じたり高めたりすることができる。
【００２４】
次に、図３は、本考案の第３の実施の形態に係る印鑑３０について説明するために参照する斜視図である。本実施の形態に係る印鑑３０は、同図に示すように、前記第１の実施の形態に係る印鑑１０とほぼ同様に構成されているが、その把持部１５の周面には縁起物である七福神の絵が付されている。
【００２５】
このような本実施の形態に係る印鑑３０によれば、前記第１の実施の形態と同様に、この印鑑３０の高さ方向の押印面１１とは反対側の端部にロゴマーク１２が付されていると共に、この印鑑３０の把持部１５の周面に縁起物の絵が付されていることにより、押印する者が押印行為の直前にその絵を即座に視認することができるので、誤って別の印鑑が文書に押印されるのを確実に防止することができる。
【００２６】
また、このような本実施の形態に係る印鑑３０によれば、前記第１の実施の形態と同様に、ロゴマーク１２や七福神の絵があしらわれて、それらのマークや絵は印鑑３０を所有する者が気に入った、他にないものを選んだものなので、そのような印鑑３０を所有したり使用したりすることにおいて、「自分は他の人が持っていない自慢できる、縁起が良くなる印鑑を持っているんだ」という大きな優越感を常に持つことができる。
【００２７】
次に、図４は、本考案の第４の実施の形態に係る印鑑４０について説明するために参照する斜視図である。
【００２８】
本実施の形態に係る印鑑４０は、図４に示すように、その全体の形状が一体的に形成され、これが本体部４２を構成するようになっている。印鑑４０の本体部４２は、前記第１の実施の形態に係る印鑑１０のロゴマーク１２と同様のロゴマーク１２（第１の図形）を有する略円柱形状の把持部４４と、この把持部４４の下側に一体に設けられ、高さ方向下端部に不図示の押印面を有する押印体部４６とを備えて構成されている。
【００２９】
また、印鑑４０の把持部４４の高さ方向上端面以外の周面には、図４に示すように、縁起物である大黒天の絵（第２の図形）が付されている。なお、この印鑑４０の把持部４４の周面に付される絵は、大黒天に限定されないことはいうまでもない。
【００３０】
このような本実施の形態に係る印鑑４０によれば、この印鑑４０の把持部４４における押印体部４６とは反対側の端部にロゴマーク１２が付されていると共に、この印鑑４０の把持部４４の周面に大黒天の絵が付されていることにより、押印する者が押印行為の直前にその絵を即座に視認することができるので、誤って別の印鑑が文書に押印されるのを確実に防止することができる。
【００３１】
また、このような本実施の形態に係る印鑑４０によれば、前記第１の実施の形態と同様に、ロゴマーク１２や大黒天の絵があしらわれて、それらのマークや絵は印鑑４０を所有する者が気に入った、他にないものを選んだものなので、そのような印鑑４０を所有したり使用したりすることにおいて大きな優越感を常に持つことができる。
【００３２】
なお、前記第１から第４の実施の形態に係る印鑑１０，２０，３０，４０においては、その把持部における端部以外の周面に、昇り竜、七福神、又は大黒天の絵を付するようになっていたが、これら以外の縁起物の絵を付するようになっていても良いことは前述した通りである。例えば、七福神の恵比寿、毘沙門天、弁財天、福禄寿、寿老人、若しくは布袋のいずれか、又はこれらのうちのいずれかの組み合わせの絵を付するになっていても良い。また、縁起物以外のものの絵画や図形を付するようになっていてもよい。
【００３３】
また、前記第１から第４の実施の形態に係る印鑑１０，２０，３０，４０においては、その把持部の上端部にロゴマーク１２又は家紋２２を付するための手法として、これらを彫り込むようになっていたが、彫り込むようにする手法以外の他の手法により付するようになっていてもよい。例えば、ロゴマーク１２又は家紋２２を付したシートを貼り付けたり、或いは印刷したりする手法等により付するようになっていてもよい。
【００３４】
また、前記第１から第４の実施の形態に係る印鑑１０，２０，３０，４０においては、その把持部の上端部にロゴマーク１２又は家紋２２を付するようになっていたが、ロゴマーク又は家紋以外の、他の紋章や図形等を付するようになっていても良い。
【００３５】
また、前記第１から第４の実施の形態に係る印鑑１０，２０，３０，４０においては、その把持部の上端部にロゴマーク１２又は家紋２２をあしらうと共に、把持部における端部以外の周面に絵をあしらうようにしていたが、把持部の上端部にロゴマーク１２又は家紋２２をあしらうようにするだけであっても良いし、或いは、把持部における端部以外の周面に絵をあしらうようにするだけであっても良い。
【図面の簡単な説明】
【００３６】
【図１】本考案の第１の実施の形態に係る印鑑１０を示す斜視図である。
【図２】本考案の第２の実施の形態に係る印鑑２０を示す斜視図である。
【図３】本考案の第３の実施の形態に係る印鑑３０を示す斜視図である。
【図４】本考案の第４の実施の形態に係る印鑑４０を示す斜視図である。
【符号の説明】
【００３７】
１０  印鑑
１１  押印面
１２  ロゴマーク
１５  把持部（本体部）
２０  印鑑
２２  家紋
３０  印鑑
４０  印鑑
４２  本体部
４４  把持部
４６  押印体部
【図１】
0003145629.tif 000003
【図２】
0003145629.tif 000004
【図３】
0003145629.tif 000005
【図４】
0003145629.tif 000006